(57)【要約】      （修正有）【課題】手のひらを側方から当て親指を上面に沿わせて握ることができ、かつ、長時間安定して握れるリール固定装置を提供する。【解決手段】リール固定装置は、リールシート本体１０と、リールシート本体１０の後部が内部に挿入される筒状の遊動フードとを備えるリール固定装置であって、リールシート本体１０の下面には、魚釣用リールの釣竿取付脚が載置される載置部が形成され、リールシート本体１０の上面には、前後方向の端から中央部に向うに連れて上方への膨出量が大きくなる膨出部１１が形成され、遊動フードの両側部には、前端面から前方に突出し、側面視で前方に尖る三角形状の突出部２５が形成され、突出部２５の先端部２５ａは、膨出部１１の後端部１１ｄよりも前方に位置し、かつ、中心軸Ｏ１よりも上方に位置している。【選択図】図２
2020162513.tif 000002
【特許請求の範囲】
【請求項１】
魚釣用リールの釣竿取付脚を載置する載置部が下部に形成されたリールシート本体と、前記リールシート本体に対して軸方向に移動可能に設けられた遊動フードと、を備えたリール固定装置であって、
前記リールシート本体の上面には、前後方向の端から中央部に向うに連れて上方への膨出量が大きくなる上部膨出部が形成され、
前記遊動フードの両側部には、前端面から前方に突出し、側面視で前方に尖る略三角形状の突出部が形成され、
前記突出部の先端部は、前記上部膨出部の後端よりも前方に位置し、かつ、リールシート本体の中心軸よりも上方に位置していることを特徴とするリール固定装置。
【請求項２】
前記上部膨出部において膨出量が最も大きい最大上部膨出部は、
前記魚釣用リールの脚部の中心を通り前記リールシート本体の中心軸に直交する仮想線を第１仮想線とし、前記遊動フードの前側下端部に接し前記リールシート本体の中心軸に直交する仮想線を第２仮想線とした場合に、前記リールシート本体の軸方向において、前記第１仮想線と前記第２仮想線との間に位置していることを特徴とする請求項１に記載のリール固定装置。
【請求項３】
前記遊動フードの前側上端部は、前記前側下端部よりも後方に位置し、
前記上部膨出部の後端は、前記遊動フードの前側下端部よりも後方に位置していることを特徴とする請求項２に記載のリール固定装置。
【請求項４】
前記リールシート本体の軸方向において、前記上部膨出部の後端部と前記最大上部膨出部との距離は、前記最大上部膨出部と前記脚部の中心を通る前記第１仮想線との距離よりも大きいことを特徴とする請求項３に記載のリール固定装置。
【請求項５】
前記遊動フードの下面には、下方に膨出する下部膨出部が形成されており、
前記下部膨出部は、膨出量が最も大きい最大下部膨出部を備えており、
前記最大上部膨出部と前記最大下部膨出部とは、前記リールシート本体の中心軸から等距離に位置することを特徴とする請求項２から請求項４のいずれか１項に記載のリール固定装置。
【請求項６】
前記上部膨出部の後端部と前記遊動フードの前側上端部とが連続する傾斜面を構成していることを特徴とする請求項１から請求項５のいずれか１項に記載のリール固定装置。
【発明の詳細な説明】
【技術分野】
【０００１】
本発明は、リール固定装置に関する。
【背景技術】
【０００２】
従来、魚釣用リールを釣竿に固定するための装置としてリール固定装置が知られている。リール固定装置は、釣竿に固定されるリールシート本体と、リールシート本体に取り付けられ、釣竿の軸方向に移動可能に設けられた遊動フードと、を備えている。
【０００３】
下記特許文献１のリール固定装置は、下面に魚釣用リールの釣竿取付脚が載置される載置部が形成され、上面に人差し指を沿わせる握り方で握持される。また、このリール固定装置は、リールシート本体の上面と遊動フードの上面とに跨って手のひらが当てられるように構成されている。
【先行技術文献】
【特許文献】
【０００４】
【特許文献１】特開２０１６−７７１７８号公報
【発明の概要】
【発明が解決しようとする課題】
【０００５】
しかしながら、特許文献１のリール固定装置は、魚釣用リールにレバーブレーキが設けられている場合、レバーブレーキに人差し指をかけることができない。このため、装着可能な魚釣用リールが制限される。また、釣竿の穂先を下方へ向けた場合に、手首を下方へ向け難く、手首にかかる負担が大きかった。
【０００６】
一方、レバーブレーキに指をかける握り方や、キャスティング時に人差し指で釣糸を引っ掛ける握り方では、手のひらをリール固定装置の側方から当てて、親指をリール固定装置の上面に沿わせるように握ることが好ましい。
また、上記したようにリールシート本体と遊動フードとに跨って指や手のひらが当たると、長時間握った場合に手のひらの違和感が強くなったり、手のひらが痛くなったりするおそれがある。
【０００７】
本発明は、このような課題を解決するために創作されたものであり、手のひらを側方から当てて親指を上面に沿わせて握ることができ、かつ、長時間安定して握ることができるリール固定装置を提供することを目的とする。
【課題を解決するための手段】
【０００８】
前記課題を解決するため、本発明のリール固定装置は、魚釣用リールの釣竿取付脚を載置する載置部が下部に形成されたリールシート本体と、前記リールシート本体に対して軸方向に移動可能に設けられた遊動フードと、を備えたリール固定装置である。前記リールシート本体の上面には、前後方向の端から中央部に向うに連れて上方への膨出量が大きくなる膨出部が形成されている。前記遊動フードの両側部には、前端面から前方に突出し、側面視で前方に尖る略三角形状の突出部が形成されている。前記突出部の先端部は、前記上部膨出部の後端部よりも前方に位置し、かつ、前記リールシート本体の中心軸よりも上方に位置している。
【０００９】
本発明によれば、リールシート本体の中心軸よりも上側で、上部膨出部の下方に入り込むように遊動フードの突出部が位置するので、手のひらを側方から当てて親指を上部膨出部に沿わせて握った場合に、下方から回した薬指の腹を突出部上に位置させることができる。これよって、薬指の腹が膨出部と遊動フードとに跨って当たることが回避されるため、長時間に亘って安定してリールシートを握ることができる。
【００１０】
また、前記上部膨出部において膨出量が最も大きい最大上部膨出部を備えている場合に最大上部膨出部は、前記魚釣用リールの脚部の中心を通り前記リールシート本体の中心軸に直交する仮想線を第１仮想線とし、前記遊動フードの前側下端部に接し前記リールシート本体の中心軸に直交する仮想線を第２仮想線とした場合に、前記リールシート本体の軸方向において、前記第１仮想線と前記第２仮想線との間に位置していることが好ましい。
【００１１】
このように構成することによって、手のひらを側方から当てて親指を上部膨出部に沿わせて握った場合、最大上部膨出部に母指球が当たる。これよって、リールシート本体と母指球との間に隙間が形成されることを抑制できる。したがって、リール固定装置をしっかりと握ることができ、握持性が向上する。
【００１２】
また、前記遊動フードの前側上端部が、前記前側下端部よりも後方に位置する場合には、前記上部膨出部の後端部が、前記遊動フードの前側下端部よりも後方に位置していることが好ましい。
このように構成することによって、上部膨出部の後端部が後方に拡張するので、母指球が膨出部と遊動フードとに跨って当たることを確実に回避できる。したがって、長時間に亘って安定してリール固定装置を握ることができる。
【００１３】
また、前記リールシート本体の軸方向において、前記上部膨出部の後端部と前記最大上部膨出部との距離は、前記最大上部膨出部と前記脚部の中心を通る前記第１仮想線との距離よりも大きいことが好ましい。
このように構成することによって、上部膨出部の後端部が比較的後方に位置するようになり、上部膨出部と遊動フードとに跨って母指球が当たることを好適に回避できる。したがって、長時間に亘って安定してリールシートを握ることができる。
【００１４】
また、前記遊動フードの下面に、下方に膨出する下部膨出部が形成され、前記下部膨出部が、膨出量が最も大きい最大下部膨出部を備えている場合には、前記最大上部膨出部と前記最大下部膨出部とが、前記リールシート本体の中心軸からの等距離に位置することが好ましい。
このように構成することによって、リールシート本体の中心軸の上側と下側とのバランスが取れる。したがって、魚釣り操作性が向上する。
【００１５】
また、前記上部膨出部の後側上面と前記遊動フードの前側上面とが連続する傾斜面を構成していることが好ましい。
【００１６】
前記構成によれば、上部膨出部と遊動フードとの隙間に手のひらが当たっても違和感がなくなり、長時間に亘って安定してリール固定装置を握ることができる。
【発明の効果】
【００１７】
以上から、手のひらを側方から当て親指を上面に沿わせて握ることができ、かつ、長時間に亘って安定して握れるリール固定装置が得られる。
【図面の簡単な説明】
【００１８】
【図１】本発明の一実施形態に係るリール固定装置及びこれに固定された魚釣用リールの釣竿取付脚を示す側面図である。
【図２】本発明の一実施形態に係るリール固定装置の前後方向の中央部を拡大して示す拡大側面図である。
【図３】本発明の一実施形態に係るリール固定装置を右手で握った状態を示す側面図である。
【発明を実施するための形態】
【００１９】
次に実施形態のリール固定装置について説明する。実施形態の説明において、リール固定装置３が装着される釣竿１が水平となっている状態を基準に説明し、釣竿の竿先側を前側、竿元側を後側と言う。また、実施形態のリール固定装置３は、レバーブレーキ１０１を備える魚釣用スピニングリール１００が装着された状態を説明する。
【００２０】
図１に示すように、リール固定装置３が取り付けられる釣竿１は、前後方向に延在する竿杆２と、竿杆２の後端を被覆するグリップ（不図示）とを備える。リール固定装置３は、竿杆２の後部であってグリップの前側に取り付けられている。リール固定装置３は、リールシート本体１０と、リールシート本体１０の後部に取り付けられた遊動フード２０と、を備えている。遊動フード２０は、操作つまみ部２１と後側フード２２とを備えている。
【００２１】
リールシート本体１０は、竿杆２の軸線方向に延在する略円筒状の樹脂部品である。リールシート本体１０の内部に竿杆２が挿入され、リールシート本体１０が竿杆２に嵌合している。また、リールシート本体１０と竿杆２との間には接着剤が塗布され、リールシート本体１０が竿杆２に接着している。
【００２２】
リールシート本体１０の後部は、遊動フード２０内に挿入され、遊動フード２０を支持する支持部１６を構成している。一方、リールシート本体１０の前部と前後方向中央部は外側に露出している。
【００２３】
リールシート本体１０の前後方向中央部の上部には、上方に膨出する上部膨出部１１が形成されている。また、リールシート本体１０の前後方向中央部の両側部には、側面を構成する側壁部１２が形成されている。
上部膨出部１１は、リールシート本体１０の前部の上面１０ａよりも上側に膨出している。
上部膨出部１１は、最も上方に膨出する最大上部膨出部１１ａと、最大上部膨出部１１ａから前方に向うに連れて膨出量が次第に低減する前側傾斜面１１ｂと、最大上部膨出部１１ａから後方に向うに連れて膨出量が次第に低減する後側傾斜面１１ｃと、を備えている。
側壁部１２は、中心軸Ｏ１よりも上方に位置しており、側壁部１２の外面は、上部膨出部１１の外面（リールシート本体の上面）と連続している。
【００２４】
リールシート本体１０の前後方向中央部の下面には、略水平な載置部１３が形成されている。この載置部１３には、魚釣用スピニングリール１００の釣竿取付脚１０２の底面が当接している。
【００２５】
リールシート本体１０の下面であって載置部１３の前方には、前側フード１４が形成されている。前側フード１４は、載置部１３よりも下方へ膨出している。前側フード１４の後面には、後方に開口する前側係止孔１４ａが形成されている。そして、前側係止孔１４ａ内には、釣竿取付脚１０２の前部が挿入される。
【００２６】
リールシート本体１０の前後方向中央部の両側面には、径方向内側に窪み、かつ、前後方向に延在する案内溝１５が形成されている。
【００２７】
支持部１６の前部は、遊動フード２０の後側フード２２内に挿入されている。支持部１６の後部は、操作つまみ部２１内に挿入されている。支持部１６の後部には、図示しない雄ねじ部が形成されている。
【００２８】
操作つまみ部２１の内周面には、支持部１６の雄ねじ部に螺合する雌ねじ部（不図示）が形成されている。操作ツマミ部２１の外周面には、筒状のリング部材２１ａが取り付けられている。リング部材２１ａを操作ツマミ部２１の外周面に取り付けることによって、前方の後側フード２２から続く外面を略段差のない連続した外面にすることができる。リング部材２１ａには、装飾を施したり、色彩を付したりしてもよい。
【００２９】
後側フード２２の後端は、操作つまみ部２１の前端に中心軸Ｏ１回りに回動自在に連結している。また、後側フード２２の内周面には、径方向内側に突出して案内溝１５に係合する図示しない凸条部が形成されている。
【００３０】
後側フード２２における前部の下側には、下方に膨出する下部膨出部としての係止部２３が形成されている。載置部１３と係止部２３との間には、釣竿取付脚１０２の後部が挟持される。なお、操作つまみ２１を回転させて後側フード２２を後方に移動させることで、係止部２３と載置部１３とによる挟持が解除され、魚釣用スピニングリール１００を取り外すことができる。
【００３１】
図２に示すように、係止部２３は、前側に向うに連れて下方に位置するように傾斜しており、係止部２３の前側下端部２３ａが後側フード２２において最も下方に膨出している部位となっている。係止部２３の前側下端部２３ａにおける中心軸Ｏ１からの膨出量（距離）は、ｒ２となっている。前側下端部２３ａは、特許請求の範囲における「最大下部膨出部」に相当する。
【００３２】
後側フード２２の上部には、前側に向うに連れて径方向外側に膨む膨出壁部２４が形成されている。また、後側フード２２の両側部には、前方に向けて突出する突出部２５が形成されている。
【００３３】
次に各構成の詳細について説明する。
最大上部膨出部１１ａにおける中心軸Ｏ１からの膨出量（距離）は、ｒ１となっている。また、最大上部膨出部１１ａの膨出量ｒ１は、係止部２３の前側下端部２３ａの膨出量ｒ２と等しい。つまり、最大上部膨出部１１ａと最大下部膨出部となる前側下端部２３ａとは、リールシート本体１０の中心軸Ｏ１から等距離に位置している。
【００３４】
ここで、魚釣用スピニングリール１００の脚部１０３の中心を通り中心軸Ｏ１に直交する仮想線を第１仮想線Ｋ１とし、遊動フード２０の前側下端部２３ａに接しリールシート本体１０の中心軸Ｏ１に直交する仮想線を第２仮想線Ｋ２とする。この場合に、最大上部膨出部１１ａは、第１仮想線Ｋ１と第２仮想線Ｋ２との間に位置している。
【００３５】
リールシート本体１０の軸方向において、最大上部膨出部１１ａと第１仮想線Ｋ１との距離Ｌ１は、最大上部膨出部１１ａと第２仮想線Ｋ２との距離Ｌ２と等しい。
【００３６】
また、リールシート本体１０の軸方向において、リールシート本体１０の後側傾斜面１１ｃの後端部１１ｄは、遊動フード２０の前側下端部２３ａよりも後方に位置している。これによって、上部膨出部１１の後側傾斜面１１ｃの後端部１１ｄと最大上部膨出部１１ａとの距離Ｌ３は、最大上部膨出部１１ａと脚部１０３の中心を通る第１仮想線Ｋ１との距離Ｌ１よりも大きくなっている。
【００３７】
後側傾斜面１１ｃは、前後方向に略直線状に形成されている。膨出壁部２４の上面２４ａは、前後方向に略直線状に形成されている。膨出壁部２４の上面２４ａは、後側傾斜面１１ｃと同じ傾斜角度となっている。膨出壁部２４の上面２４ａの前側上端部２４ｂは、後側傾斜面１１ｃの延長線上に位置し、膨出壁部２４の上面２４ａと後側傾斜面１１ｃとの境界が面一となっている。
以上から、上部膨出部１１の後側傾斜面１１ｃと遊動フード２０の上面２４ａとが連続する傾斜面３０を構成している。
【００３８】
次に、遊動フード２０の突出部２５について説明する。突出部２５は、前部が上下方向の端部から中央部に向うに連れて次第に前方に突出しており、側面視で前方に尖る三角形状に形成されている。また、突出部２５の先端部２５ａは、中心軸Ｏ１よりも上側に位置している。突出部２５は、先端部２５ａよりも上側に位置する上側前端部２５ｂと、先端部２５ａよりも下側に位置する下側前端部２５ｃとを備えている。上側前端部２５ｂは、上方に向かうにつれて後方に位置するように傾斜している。また、下側前端部２５ｃは、下方に向うにつれて後方に位置するように傾斜している。
【００３９】
上側前端部２５ｂと膨出壁部２４の前端面２４ｃは、連続して周方向に延在し、側面視で直線状に形成されている。この前端面２４ｃは、対向する上部膨出部１１の後端面１１ｅ及び上部膨出部１１の側壁部１２の後端面１２ａに沿って傾斜している。
【００４０】
なお、図１、図２において、魚釣用スピニングリール１００を装着しているため、上部膨出部１１の後端面１１ｅと膨出壁部２４の前端面２４ｃとの間、並びに側壁部１２の後端面１２ａと上側前端部２５ｂの間には、隙間が形成されている。しかしながら、魚釣用スピニングリール１００を外し、後側フード２２を前方に移動させると、互いに当接するようになっている。
【００４１】
次にリール固定装置３の握り方について図３を参照しながら説明する。
リール固定装置３の右側に右手の手のひらＦ７を配置する。
次に、親指Ｆ１をリール固定装置３の上面に当てつつ、人差し指Ｆ２をレバーブレーキ１０１に引っ掛ける。また、中指Ｆ３、薬指Ｆ４、並びに小指Ｆ５をリールシート本体１０の下側から回り込ませて握る。
これによれば、レバーブレーキ１０１に人差し指Ｆ２が当たっているため、相対的に親指Ｆ１等の位置が決まるようになり、親指Ｆ１は、前側傾斜面１１ｂと前部の上面１０ａに当たる。また、前側傾斜面１１ｂと前部の上面１０ａに沿って親指Ｆ１を無理なく前方に延ばすことができる。さらに、母指球Ｆ６には最大上部膨出部１１ａが当たり、手のひらＦ７の基部側には傾斜面３０が当たる。そして、中指Ｆ３の腹は案内溝１５近傍に当たり、薬指Ｆ４の腹は突出部２５に当たり、小指Ｆ５の腹は後側フード２２に当たる。
【００４２】
以上説明した実施形態のリール固定装置３によれば、リールシート本体１０の中心軸Ｏ１よりも上側で、上部膨出部１１の下方に入り込むように遊動フード２０（後側フード２２）の突出部２５が位置するので、手のひらを側方から当てて親指Ｆ１をリール固定装置３の上面に沿わせて握ることができる。
【００４３】
また、母指球Ｆ６が最大上部膨出部１１ａに当たる。これよって、リールシート本体１０と母指球Ｆ６との間に隙間が形成されることを抑制できる。したがって、リール固定装置３をしっかりと握ることができ、握持性が向上する。
【００４４】
また、薬指Ｆ４の腹は突出部２５に当たる。つまり、薬指Ｆ４の腹が上部膨出部１１と遊動フード２０とに跨って当たることがない。特に上部膨出部１１は、後方に延在していることから、握り直しても上部膨出部１１と遊動フード２０とに跨って当たることがない。
【００４５】
また、手のひらＦ７の基部が傾斜面３０に当たるものの、傾斜面３０に突出している部位がないため、リール固定装置３を長時間に亘って安定して握ることができる。
【００４６】
遊動フード２０の前側上端部２４ｂが、前側下端部２３ａよりも後方に位置し、上部膨出部１１の後端部１１ｄが、遊動フード２０の前側下端部２３ａよりも後方に位置している。したがって、上部膨出部１１の後端部１１ｄが後方に拡張するので、母指球Ｆ６が上部膨出部１１と遊動フード２０とに跨って当たることを確実に回避できる。したがって、長時間に亘って安定してリール固定装置３を握ることができる。
【００４７】
また、リールシート本体１０の軸方向において、上部膨出部１１の後端部１１ｄと最大上部膨出部１１ａとの距離Ｌ３は、最大上部膨出部１１ａと脚部１０３の中心を通る第１仮想線Ｋ１との距離Ｌ１よりも大きい。したがって、上部膨出部１１の後端部が比較的後方に位置するようになり、上部膨出部１１と遊動フード２０とに跨って母指球Ｆ６が当たることを好適に回避できる。したがって、長時間に亘って安定してリール固定装置３を握ることができる。
【００４８】
また、リール固定装置３における上方への膨出量ｒ１と下方への膨出量ｒ２とが等しいため、中心軸Ｏ１を基準とする上側と下側の重量の差をなくすことができ、釣竿１を操作し易い。
【００４９】
また、上部膨出部１１の後側傾斜面１１ｃと遊動フード２０の上面２４ａとが連続する傾斜面３０を構成しているので、後側傾斜面１１ｃと上面２４ａとの隙間に手のひらが当たっても違和感がなくなり、長時間に亘って安定してリール固定装置３を握ることができる。
【００５０】
以上、実施形態について説明したが、本発明は上記した例に限定されず、適宜変形してもよい。
例えば、突出部２５の前方への突出量は適宜設定することができる。
また、突出部２５の先端部２５ａは、アール状に丸く形成してもよい。
また、突出部２５の側面に、滑り止め加工を施して握持性を高めてもよい。
【符号の説明】
【００５１】
３      リール固定装置
１０    リールシート本体
１１    上部膨出部
１１ａ  最大上部膨出部
２０    遊動フード
２３    係止部（下部膨出部）
２３ａ  前側下端部（最大下部膨出部）
２４ｂ  前側上端部
２５    突出部
２５ａ  先端部
１００  魚釣用スピニングリール
１０３  脚部
Ｏ１    中心軸
Ｋ１    第１仮想線
Ｋ２    第２仮想線
Ｌ３    距離（上部膨出部の後端部と最大上部膨出部との距離）
Ｌ１    距離（最大上部膨出部と第１仮想線との距離）
ｒ１    距離（最大上部膨出部と中心軸との距離）
ｒ２    距離（最大下部膨出部と中心軸との距離）
【図１】
2020162513.tif 000003
【図２】
2020162513.tif 000004
【図３】
2020162513.tif 000005